(57)【要約】      （修正有）【課題】米ぬかの天然成分を含有させ、美肌効果、皮膚の肌荒れ防止効果を持続的にもたらす、浴用、洗顔用の米ぬか繊維タオルを提供する。【解決手段】よこ糸１と地たて糸２とパイルたて糸３からなり、片面パイル組織もしくは両面パイル組織で織成されたタオルであり、パイルたて糸３の少なくとも一部が米ぬかの天然成分を繊維中に保持させた繊維からなる。【選択図】図１
0003180305.tif 000002
【実用新案登録請求の範囲】
【請求項１】
よこ糸１と地たて糸２とパイルたて糸３からなり、片面パイル組織もしくは両面パイル組織で織成されたタオルであり、前記パイルたて糸３の少なくとも一部が米ぬかの天然成分を繊維中に保持させた繊維からなることを特徴とする米ぬか繊維タオル。
【請求項２】
タオルがフェイスタオルである請求項１に記載の米ぬか繊維タオル。
【請求項３】
繊維がレーヨンである請求項１または２に記載の米ぬか繊維タオル。
【考案の詳細な説明】
【技術分野】
【０００１】
本考案は、米ぬかの天然成分を含有した繊維からなるタオルに関する。
【背景技術】
【０００２】
米ぬかの天然成分を含有し、皮膚の荒れ防止に有効な繊維製品が知られている。例えば特許文献１の例がある。これは、米ぬかの天然成分を含有し、皮膚の荒れ防止に有効な繊維製品、具体的には、肌着類、手袋、靴下、ストッキング、タイツ類が示されている。
【０００３】
米ぬかを布袋に入れて、入浴時に皮膚をこすって洗う事は従来から知られている。
【０００４】
一方、従来から、米ぬかの天然成分を含有させた石鹸あるいは化粧品があり、皮膚の荒れ防止に有効であることが知られている。
【先行技術文献】
【特許文献】
【０００５】
【特許文献１】特開２００６−１６１２１０号公報
【考案の概要】
【考案が解決しようとする課題】
【０００６】
前記従来技術では、肌着、手袋、靴下などの編地、ニット（編地）衣類に米ぬかの天然成分を含有させた繊維を用いる事が知られている。また、米ぬかを布袋に入れての使用、あるいは米ぬかの天然成分を含有させた石鹸の使用が知られているが、米ぬかの天然成分を含有させた繊維からなる織物タオルの事例は稀である。今や日常の生活に欠かせないタオル、殊に、洗顔タオル、浴用タオル、所謂フェイスタオルに米ぬかの天然成分が含有されていることで、美肌効果、皮膚の肌荒れ防止効果が付加されれば画期的なことでもある。
【０００７】
本考案は、米ぬかの天然成分を含有させた繊維をタオルの織物構造に如何にして組み入れるかを検討し、美肌効果、皮膚の肌荒れ防止効果を持続的にもたらす機能が付加されるべく最適な織物構造にして、浴用、洗顔用のタオルに仕上げたものを提供することを課題とする。
【課題を解決するための手段】
【０００８】
本考案は、よこ糸１と地たて糸２とパイルたて糸３からなり、片面パイル組織もしくは両面パイル組織で織成されたタオルであり、前記パイルたて糸３の少なくとも一部が米ぬかの天然成分を繊維中に保持させた繊維からなることを特徴とする米ぬか繊維タオルである。
【０００９】
タオルの用途としては、フェイスタオルが好ましい。
【００１０】
繊維素材はレーヨンが好ましい。
【考案の効果】
【００１１】
本考案のタオルは、通気性が良く、保湿、吸湿、保温性に優れ、肌触りが良く、柔らかいのはもちろんであるが、タオルのパイル糸に米ぬかの天然成分を含有しているので、アトピーの人、敏感肌の人、赤ちゃん等の肌をやさしく守る効果、ならびに、入浴の際のお肌すべすべ効果を奏するタオルが提供できる。
【図面の簡単な説明】
【００１２】
【図１】本考案の実施例１で得られたパイル織タオルの主要部を示す図であり、パイル糸とたて糸、よこ糸の関係を表す概略図である。
【図２】本考案のタオル織物の実施例１の織物組織図である。
【図３】本考案のタオル織物の実施例１の織前から見た断面図である。
【考案を実施するための形態】
【００１３】
本考案は、よこ糸１と地たて糸２とパイルたて糸３からなり、片面パイル組織もしくは両面パイル組織で織成されたタオルであり、前記パイルたて糸３の少なくとも一部が米ぬかの天然成分を繊維中に保持させた繊維からなる。
【００１４】
タオルは、組織と筬打ちの関係でパイルを表面に出す織物で、タオル用の特殊な筬打ち装置のついたタオル織機で織られる。基本的には、よこ糸、地たて糸およびパイルたて糸を用いて製織される。
【００１５】
尚、タオル織物は、製織に際し、多重ガーゼ組織を採択して組み合わせる場合は、ガーゼのたて糸およびよこ糸の少なくとも一部に米ぬかの天然成分を含有した繊維を用いて、ガーゼ自体に米ぬかの天然成分を含有する繊維の有する機能をもたせることも可能である。
【００１６】
本考案のタオル地に用いるよこ糸および地たて糸は、綿、レーヨン、麻、絹、ウール、アクリル、ポリエステル、ナイロン、ポリエチレン素材からなる糸が用いられる。これらの素材は、とくに限定されることなく、タオルの使用目的・用途に応じて、適宜選択することができる。
【００１７】
本考案に言うタオルは、タオル織物からなる製品で、汗ふき、洗顔、入浴などに用いるものの総称を言う。さらには、フェイスタオル、ウォッシュタオル、ハンドタオル、バスタオル、スポーツタオル、ビーチタオル、キッチンタオル等が挙げられる。特に、洗顔用、浴用として用いる、所謂、フェイスタオルが好ましい。
【００１８】
本考案のタオルに用いるパイルたて糸は、少なくとも一部が米ぬかの天然成分を繊維中に保持させた繊維からなる糸を用いることが必要である。ここで、少なくとも一部とは、約３０％以上、好ましくは、５０％以上をいう。米ぬかの天然成分を繊維中に保持させた繊維からなる糸はパイル部に偏在させるのではなく、まんべんなくパイル部全体に存在させるのが好ましい。勿論、１００％が米ぬかの天然成分を繊維中に保持させた繊維からなる糸を用いるのが最も好ましい。
【００１９】
本考案では、タオルのパイルたて糸に、米ぬかの天然成分を繊維中に保持させた繊維を用いているので、タオルの使用時に、パイル部が直接肌に触れる構造になっている。従って、米ぬかの天然成分を繊維中に保持させた繊維は、身体の美と健康を保持する米ぬかの天然成分、すなわち米ぬかエキス、γ−オリザノール等により、アトピーの人、敏感肌の人、赤ちゃん等の肌をやさしく守る効果があり、入浴の際、お肌すべすべ効果を奏するタオルが提供できる。
【００２０】
本考案では、米ぬかの天然成分を繊維中に保持させた繊維からなる糸を、パイルたて糸の少なくとも一部に用いる。米ぬかの天然成分を繊維中に保持させた繊維の糸の太さは、タオルの接触感、風合いを損なうことがなければ特に限定されるものではないが、例えば、綿番手１６〜４０番の糸が使われる。
【００２１】
米ぬかの天然成分を保持させた繊維としては、例えば米ぬかの天然成分を練り込んだレーヨンを用いることができる。また米ぬかの天然成分をバインダーによって繊維の表面に固定したポリエステルなどの合成繊維を用いることができる。
【００２２】
本考案のタオルのパイル糸に用いる、米ぬかの天然成分を繊維中に保持させた繊維は、前記の米ぬかの天然成分を練り込んだレーヨンあるいは米ぬかの天然成分をバインダーによって繊維の表面に固定したポリエステルなどの合成繊維等いずれでもよいが、米ぬかの天然成分の繊維中での保持耐久性の面からは、米ぬかの天然成分を練り込んだレーヨンが特に好ましい。
【実施例】
【００２３】
（実施例１）
タオル織機を用い、二重ビーム（パイルビーム、グランドビーム）、綜絖（ヘルドともいう）枠数１２枚（パイル糸６枚、ガーゼ糸６枚）を用いて図２に示す組織図に基づいて織成した。
【００２４】
図１は、本考案のタオル地の一実施例を示す概略斜視図である。
【００２５】
図２は、本考案の実施例１の織物組織図を示す。たて列の１〜６の数字は、よこ糸ピック数を示す。よこ列の１〜１２の数字は綜絖枠数を示す。Ｐはパイル糸、Ｇはグランド糸を示す。Ａは上げる、Ｓは沈む、を示す。
【００２６】
図３は、同実施例１のタオル織物の織前から見た断面図を示す。
【産業上の利用可能性】
【００２７】
本考案のタオルは、身体の美と健康を保持する、米ぬかエキス、γ−オリザノールなどの米ぬかの天然成分が含まれており、アトピーの人、敏感肌の人、赤ちゃん等の肌をやさしく守る効果があり、入浴の際のお肌すべすべ効果を奏するタオルが提供できる。
【符号の説明】
【００２８】
１：よこ糸
２：地たて糸      
３：パイルたて糸
【図２】
0003180305.tif 000003
【図３】
0003180305.tif 000004
【図１】
0003180305.tif 000005